【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
標本を照明する照明光源と、
前記標本を観察する対物レンズと、
前記対物レンズの標本像を結像する結像レンズと、
前記対物レンズと前記結像レンズの間の観察光軸に配置される第１の偏光板と、
前記照明光源と前記標本の間の照明光軸上の照明光路中に配置されたコンデンサレンズと、
前記コンデンサレンズにおけるレンズの照明光源側の照明光軸上に光学素子を配置するタレットと、
前記タレットに配置された光学素子であるスリットおよび第２の偏光板と、
前記タレットと前記照明光源の間に配置された第３の偏光板と、を備え、
前記第２の偏光板と前記第３の偏光板、または前記第１の偏光板と前記第２の偏光板の振動方向がほぼ一致している状態で観察を切換える
ことを特徴とする顕微鏡。
【請求項２】
前記対物レンズと前記結像レンズの間の観察光軸に配置される微分干渉観察用の第１のプリズムと、
前記タレットに配置された光学素子である微分干渉観察用の第２のプリズムと、
を備えることを特徴とする請求項１に記載の顕微鏡。
【請求項３】
前記スリットの前記観察光学系側に配置されたデポライザ
を備えることを特徴とする請求項２に記載の顕微鏡。
【請求項４】
微分干渉観察の時は、前記観察光軸に前記微分干渉観察用の第１のプリズム及び前記第１の偏光板を配置し、前記照明光軸に前記第３の偏光板および前記タレットの微分干渉観察用の第２のプリズムを配置し、
レリーフコントラスト観察の時は、前記観察光軸では前記微分干渉観察用の第１のプリズム及び前記第１の偏光板を外し、前記照明光軸に前記第３の偏光板、前記タレットのスリットおよび前記第２の偏光板を配置し、
このとき前記第２の偏光板と前記第３の偏光板)の振動方向がほぼ一致している状態で観察を切換える
ことを特徴する請求項２に記載の顕微鏡。
【請求項５】
微分干渉観察の時は、前記観察光軸に前記微分干渉観察用の第１のプリズム及び前記第１の偏光板を配置し、前記照明光軸に前記第３の偏光板および前記タレットの微分干渉観察用の第２のプリズムを配置し、
レリーフコントラスト観察の時は、前記観察光軸では前記微分干渉観察用の第１のプリズム及び前記第１の偏光板を配置し、前記照明光軸に前記第３の偏光板、前記タレットのスリットおよび前記第２の偏光板を配置し、
前記微分干渉観察用の第１のプリズム及び前記第１の偏光板は観察の切換にかかわらず前記観察光軸に固定配置し、
前記第２の偏光板と前記第３の偏光板の振動方向がほぼ一致している状態で観察を切換える
ことを特徴とする請求項３に記載の顕微鏡。
【請求項６】
微分干渉観察の時は、前記観察光軸に前記微分干渉観察用の第１のプリズム及び前記第１の偏光板を配置し、前記照明光軸に前記第３の偏光板および前記タレットの微分干渉観察用の第２のプリズムを配置し、
レリーフコントラスト観察の時は、前記観察光軸では前記微分干渉観察用の第１のプリズム及び前記第１の偏光板を配置し、前記照明光軸の第３の偏光板、前記タレットのスリットおよび前記第２の偏光板を配置し、
前記第１の偏光板と前記第２の偏光板の振動方向がほぼ一致している状態である
ことを特徴とする請求項２に記載の顕微鏡。
【請求項７】
前記スリットは、空穴スリット及び偏光スリットからなり、該偏光スリットと前記第２の偏光板とはクロスニコルから少しずれている
ことを特徴とする請求項１に記載の顕微鏡。
【請求項８】
前記タレットは、空穴が配置されている
ことを特徴とする請求項１に記載の顕微鏡。
【手続補正２】
【補正対象書類名】明細書
【補正対象項目名】００１５
【補正方法】変更
【補正の内容】
【００１５】
次に、ＲＣ観察を行う場合について説明する。なお、ＲＣ観察においても、観察前に事前のスリット調整が必要であり、ここでは、先にスリット調整の概要について説明する。図３４に示すＲＣスリット２１には、照明光が透過しない材質の薄板に、光を１００％透過させる短冊矩形状の空孔スリット２１ａと、ＲＣ観察用アナライザ（ＲＣ観察用偏光板）となる偏光板を貼り付けた短冊矩形状の偏光スリット２１ｂとが並べて設けられている。一方、レボルバ７においてＲＣ観察に必要なＲＣ用対物レンズ６ｂ内の射出瞳位置に設けられた円板状のモジュレータ１８は、図３６に示すように、完全に遮光された領域１８ａと、２５％程度の透過率に形成された領域１８ｂと、１００％透過する領域１８ｃとの３領域に区分けして形成されている。そして、コンデンサレンズ５におけるレンズ１９と、ＲＣ用対物レンズ６ｂとにより、１００％透過の空孔スリット２１ａはモジュレータ１８の２５％程度の透過率に形成された領域１８ｂへ、偏光スリット２１ｂは１００％透過する領域１８ｃへ、互いにはみ出さないように投影される必要がある。図３７は、モジュレータ１８に投影されたスリット像２１ａ´、２１ｂ´の状態を破線で示している。
【手続補正３】
【補正対象書類名】明細書
【補正対象項目名】００２８
【補正方法】変更
【補正の内容】
【００２８】
上述した課題を解決し、目的を達成するために、本発明にかかる顕微鏡は、標本を照明する照明光源と、前記標本を観察する対物レンズと、前記対物レンズの標本像を結像する結像レンズと、前記対物レンズと前記結像レンズの間の観察光軸に配置される第１の偏光板と、前記照明光源と前記標本の間の照明光軸上の照明光路中に配置されたコンデンサレンズと、前記コンデンサレンズにおけるレンズの照明光源側の照明光軸上に光学素子を配置するタレットと、前記タレットに配置された光学素子であるスリットおよび第２の偏光板と、前記タレットと前記照明光源の間に配置された第３の偏光板と、を備え、前記第２の偏光板と前記第３の偏光板、または前記第１の偏光板と前記第２の偏光板の振動方向がほぼ一致している状態で観察を切換えることを特徴とする。
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】